(57)【要約】      （修正有）【課題】接触位置での押圧の大小情報を生成可能にするとともに、入力面に複数箇所同時に接触された場合においても、各接触位置を算出することができるタッチパネル装置を提供する。【解決手段】容量検出電極２０が、入力領域１１の横方向で並んで配置される複数の第一面状部２１ａと、第一面状部２１ａを繋ぐ第一連結部２１ｂとを有し、かつ縦方向に並んで配置される横方向容量検出電極２１と、第一面状部２１ａと重ならない位置に縦方向で並んで配置される複数の第二面状部２２ａと、第二面状部２２ａを繋ぐ第二連結部２２ｂとを有し、かつ横方向に並んで配置される縦方向容量検出電極２２と、を有してなり、抵抗検出電極３０が、第一面状部２１ａと第二面状部２２ａとの間を通る格子状の抵抗検出線状電極３１を有してなり、制御回路６０が、検出信号を用いて一以上の接触位置を算出し、かつ算出された接触位置での押圧の大小情報を生成する。【選択図】図１
2012178093.tif 000002
【特許請求の範囲】
【請求項１】
容量検出電極と、該容量検出電極の下層に形成される抵抗検出電極とを入力領域に有してなるタッチパネルと、前記容量検出電極または前記抵抗検出電極によって検出された検出信号を用いて前記入力領域の入力面での接触位置を算出する制御回路とを有してなるタッチパネル装置において、
前記容量検出電極は、
前記入力領域の横方向で並んで配置される複数の第一面状部と、該第一面状部を繋ぐ直線状の第一連結部とを有し、かつ縦方向に並んで配置される横方向容量検出電極と、
前記横方向容量検出電極とは別層に設けられ、前記入力面視で、前記第一面状部と重ならない位置に縦方向で並んで配置される複数の第二面状部と、該第二面状部を繋ぐ直線状の第二連結部とを有し、かつ横方向に並んで配置される縦方向容量検出電極と、
を有してなり、
前記抵抗検出電極は、
前記入力面視で、前記入力領域で前記第一面状部と前記第二面状部との間を通る格子状の抵抗検出線状電極を有してなり、
前記制御回路は、
前記検出信号を用いて一以上の接触位置を算出し、かつ算出された接触位置での押圧の大小情報を生成する接触位置情報生成部
を有してなることを特徴とするタッチパネル装置。
【請求項２】
前記制御回路は、
前記容量検出電極によって検出された検出信号を用いて算出した接触位置、および前記抵抗検出電極によって検出された検出信号を用いて算出した接触位置のうち、前記容量検出電極によって検出された検出信号を用いて算出された接触位置を出力先への接触位置情報とすることを特徴とする。
【請求項３】
前記抵抗検出電極は、
前記抵抗検出線状電極の下方で該抵抗検出線状電極に対向して配置され、かつ平面状に形成された光透過性の抵抗検出面状電極を有してなることを特徴とする請求項１または２に記載のタッチパネル装置。
【請求項４】
前記第一面状部および前記第二面状部は、
ひし形形状をなし、
前記横方向容量検出電極および前記縦方向容量検出電極は、
前記入力面視で、前記第一面状部および前記第二面状部の互いの辺が対向するようにして配置されてなり、
前記抵抗検出線状電極は、
前記入力面視で、隣り合う前記第一面状部および前記第二面状部の対向する辺の間を通って配置されることを特徴とする請求項１、２、または３に記載のタッチパネル装置。
【請求項５】
前記抵抗検出線状電極は、
金属材料からなることを特徴とする請求項１、２、３、または４に記載のタッチパネル装置。
【請求項６】
前記押圧大小情報生成部は、
同一の接触位置が算出された前記検出信号を一つのグループとするグループ情報を生成し、該グループ情報を参照して、各グループ内に前記抵抗検出電極による検出信号があるか否を判断し、前記抵抗検出電極による検出信号がある場合、押圧が大きい旨を示す押圧大情報を生成し、前記抵抗検出電極による検出信号がない場合、押圧が小さい旨を示す押圧小情報を生成することを特徴とする請求項１、２、３、４または５に記載のタッチパネル装置。
【発明の詳細な説明】
【技術分野】
【０００１】
本発明は、容量検出電極または抵抗検出電極によって検出された検出信号を用いて入力面での接触位置を算出するタッチパネル装置に関する。
【背景技術】
【０００２】
従来、タッチパネルには、例えば、静電容量方式あるいは抵抗膜方式等の複数の方式が用いられている。静電容量方式のタッチパネルは、指で触れただけで検出が可能であるという利点があるものの、誤検出が発生し易いという欠点がある。一方、抵抗膜方式は、加重を加えて押圧する必要があるため誤検出し難いという利点があるものの、検出感度が鈍いという欠点がある。このように、これらの方式はそれぞれの利点と欠点が異なるため、用途に応じて使い分けて使用されている。このような状況において、これらの方式を合わせたタッチパネルが提案されている（例えば、特許文献１参照）。
【先行技術文献】
【特許文献】
【０００３】
【特許文献１】特開平６−３５５９６号公報
【発明の概要】
【発明が解決しようとする課題】
【０００４】
特許文献１に記載されたタッチパネルは、指などの弱圧接により位置を検出する弱感圧式センサプレートの上面を利用して、ペンの強圧接による位置を検出する強感圧センサプレートを一体成形して構成され、入力面に指あるいはペンが強く押しつけられているか、あるいは弱く接触されているかを検出するようにしている。
【０００５】
しかしながら、この特許文献１に記載されたタッチパネルでは、検出手段としての抵抗膜が平面状に広がって形成され、単一の接触位置を検出するようになっているため、複数箇所同時に入力面に接触された場合、これら複数の接触位置を算出することができなかった。
【０００６】
本発明は、上記に鑑みてなされたものであって、接触位置での押圧の大小情報を生成可能にするとともに、入力面に複数箇所同時に接触された場合においても各接触位置を算出することができるタッチパネル装置を提供することを目的とする。
【課題を解決するための手段】
【０００７】
上述した課題を解決し、目的を達成するために、本発明にかかるタッチパネル装置は、容量検出電極と、該容量検出電極の下層に形成される抵抗検出電極とを入力領域に有してなるタッチパネルと、前記容量検出電極または前記抵抗検出電極によって検出された検出信号を用いて前記入力領域の入力面での接触位置を算出する制御回路とを有してなるタッチパネル装置において、前記容量検出電極は、前記入力領域の横方向で並んで配置される複数の第一面状部と、該第一面状部を繋ぐ直線状の第一連結部とを有し、かつ縦方向に並んで配置される横方向容量検出電極と、前記横方向容量検出電極とは別層に設けられ、前記入力面視で、前記第一面状部と重ならない位置に縦方向で並んで配置される複数の第二面状部と、該第二面状部を繋ぐ直線状の第二連結部とを有し、かつ横方向に並んで配置される縦方向容量検出電極と、を有してなり、前記抵抗検出電極は、前記入力面視で、前記入力領域で前記第一面状部と前記第二面状部との間を通る格子状の抵抗検出線状電極を有してなり、前記制御回路は、前記検出信号を用いて一以上の接触位置を算出し、かつ算出された接触位置での押圧の大小情報を生成する接触位置情報生成部を有してなることを特徴とする。
【０００８】
また、本発明にかかるタッチパネル装置は、上記の発明において、前記制御回路は、前記容量検出電極によって検出された検出信号を用いて算出した接触位置、および前記抵抗検出電極によって検出された検出信号を用いて算出した接触位置のうち、前記容量検出電極によって検出された検出信号を用いて算出された接触位置を出力先への接触位置情報とすることを特徴とする。
【０００９】
また、本発明にかかるタッチパネル装置は、上記の発明において、前記抵抗検出電極は、前記抵抗検出線状電極の下方で該抵抗検出線状電極に対向して配置され、かつ平面状に形成された光透過性の抵抗検出面状電極を有してなることを特徴とする。
【００１０】
また、本発明にかかるタッチパネル装置は、上記の発明において、前記第一面状部および前記第二面状部は、ひし形形状をなし、前記横方向容量検出電極および前記縦方向容量検出電極は、前記入力面視で、前記第一面状部および前記第二面状部の互いの辺が対向するようにして配置されてなり、前記抵抗検出線状電極は、前記入力面視で、隣り合う前記第一面状部および前記第二面状部の対向する辺の間を通って配置されることを特徴とする。
【００１１】
また、本発明にかかるタッチパネル装置は、上記の発明において、前記抵抗検出線状電極は、金属材料からなることを特徴とする。
【００１２】
また、本発明にかかるタッチパネル装置は、上記の発明において、前記接触位置情報生成部は、同一の接触位置が算出された前記検出信号を一つのグループとするグループ情報を生成し、該グループ情報を参照して、各グループ内に前記抵抗検出電極による検出信号があるか否を判断し、前記抵抗検出電極による検出信号がある場合、押圧が大きい旨を示す押圧大情報を生成し、前記抵抗検出電極による検出信号がない場合、押圧が小さい旨を示す押圧小情報を生成することを特徴とする。
【発明の効果】
【００１３】
本発明にかかるタッチパネル装置は、前記容量検出電極が、前記入力領域の横方向で並んで配置される複数の前記第一面状部と、前記第一面状部を繋ぐ前記第一連結部とを有し、かつ縦方向に並んで配置される前記横方向容量検出電極と、前記第一面状部と重ならない位置に縦方向で並んで配置される複数の前記第二面状部と、前記第二面状部を繋ぐ前記第二連結部とを有し、かつ横方向に並んで配置される前記縦方向容量検出電極と、を有してなり、前記抵抗検出電極が、前記第一面状部と前記第二面状部との間を通る格子状の前記抵抗検出線状電極を有してなり、前記制御回路が、検出信号を用いて一以上の接触位置を算出し、かつ算出された接触位置での押圧大小情報を生成する前記接触位置情報生成部を有してなるので、接触位置での押圧の大小情報を生成可能にするとともに、入力面に複数箇所同時に接触された場合においても、各接触位置を算出することができる。
【図面の簡単な説明】
【００１４】
【図１】図１は、本発明の実施の形態にかかるタッチパネル装置の模式図である。
【図２】図２は、図１に示した入力領域の要部拡大図である。
【図３】図３は、図１に示したタッチパネルの要部断面図である。
【図４】図４は、図１に示したタッチパネル装置の回路構成を説明するための図である。
【図５】図５は、図１に示したタッチパネルの接触位置で抵抗検出線状電極と抵抗検出面状電極とが接触されない状態を説明するための図である。
【図６】図６は、図１に示したタッチパネルの接触位置で抵抗検出線状電極と抵抗検出面状電極とが接触された状態を説明するための図である。
【図７】図７は、制御回路が接触位置情報に押圧大小情報を付加させる処理の流れを示したメインフローチャート図である。
【図８】図８は、図７に示した押圧大小情報生成処理の流れを示したフローチャート図である。
【図９】図９は、本発明の実施の形態のタッチパネルの変形例を示した図である。
【発明を実施するための形態】
【００１５】
以下、図面を参照して、本発明にかかるタッチパネル装置の好適な実施の形態を詳細に説明する。
【００１６】
（実施の形態）
図１は、本発明の実施の形態にかかるタッチパネル装置１の模式図である。図２は、図１に示した入力領域１１の要部拡大図である。図３は、図１に示したタッチパネル１０の要部断面図である。図４は、図１に示したタッチパネル装置１の回路構成を説明するための図である。図５は、図１に示したタッチパネル１０の接触位置で抵抗検出線状電極３１と抵抗検出面状電極３２とが接触されない状態を説明するための図である。図６は、図１に示したタッチパネル１０の接触位置で抵抗検出線状電極３１と抵抗検出面状電極３２とが接触された状態を説明するための図である。
なお、便宜上、図中矢印方向を縦横方向とする。
タッチパネル装置１は、不図示の表示装置の表示面上に組み付けられるタッチパネル１０と、このタッチパネル１の動作を制御する制御回路６０とを有してなる。
【００１７】
まず、タッチパネル１０について説明する。
タッチパネル１０は、入力領域１１、容量検出回路１２および抵抗検出回路１３を有してなる。入力領域１１は、使用者が指等を接触させて入力操作を行うための縦横平面領域でありその表面が入力面１１ａになっている。
この入力領域１１には、容量検出電極２０および抵抗検出電極３０が設けられている。
容量検出電極２０は、容量検出回路１２が入力領域１１の縦横平面での静電容量の変化を検出するため、入力領域１１の縦横平面に設けられた電極である。
この容量検出電極２０は、複数の横方向容量検出電極２１および複数の縦方向容量検出電極２２を有してなる。
横方向容量検出電極２１は、入力領域１１の横方向で並んで配置された複数のひし形状の第一面状部２１ａと、第一面状部２１ａを繋ぐ直線状の第一連結部２１ｂとを有し、かつ縦方向に並んで配置されてなる。
縦方向容量検出電極２２は、横方向容量検出電極２１とは別層に設けられ、入力面１１ａ視で、第一面状部２１ａと重ならない位置に縦方向で並んで配置された複数のひし形状の第二面状部２２ａと、第二面状部２２ａを繋ぐ直線状の第二連結部２２ｂとを有し、かつ横方向に並んで配置されてなる。より具体的には、横方向容量検出電極２１および縦方向容量検出電極２２は、入力面１１ａ視で、第一面状部２１ａおよび第二面状部２２ａの互いの辺が対向するようにして配置される。
【００１８】
抵抗検出電極３０は、抵抗検出回路１３が入力領域１１の縦横平面での抵抗値による電圧の変化を検出するため、入力領域１１の縦横平面に設けられた電極である。
この抵抗検出電極３０は、抵抗検出線状電極３１および抵抗検出面状電極３２を有してなる。抵抗検出線状電極３１は、入力面１１ａ視で、入力領域１１で第一面状部２１ａと第二面状部２２ａとの間で縦横方向に延在して設けられた金属配線である。より具体的には、抵抗検出線状電極３１は、入力面１１ａ視で、隣り合う第一面状部２１ａおよび第二面状部２２ａの対向する辺の間を通る格子状をなしている。
このように、抵抗検出線状電極３１は、第一面状部２１ａおよび第二面状部２２ａの間をぬうようにして設けられているため、金属配線であっても、タッチパネル１０の組み付け先となる不図示の表示装置の表示画面から透過される光の減衰を抑えることができる。また、抵抗検出線状電極３１は、金属材料からなるため、ＩＴＯ（Ｉｎｄｉｕｍ  Ｔｉｎ  Ｏｘｉｄｅ）等の光透過性導電材料に比して強度が高い。
なお、抵抗検出線状電極３１は、金属材料に限らず、ＩＴＯ等の光透過性導電材料を用いてもよい。この場合、タッチパネル１０の組み付け先となる不図示の表示装置の表示画面から透過される光の減衰を金属材料に比して低く抑えることができる。
【００１９】
抵抗検出面状電極３２は、ＩＴＯ等の光透過性導電材料からなり、抵抗検出線状電極３１の下方で抵抗検出線状電極３１に対向して配置され、かつ平面状に形成されてなる。
【００２０】
次に、容量検出回路１２および抵抗検出回路１３について説明する。
容量検出回路１２は、タッチパネル１０の周縁に設けられ、容量検出電極２０からの信号を検出し、入力領域１１の縦横平面での静電容量の変化を検出した場合、その検出信号を制御回路６０に出力するものである。
抵抗検出回路１３は、タッチパネル１０の周縁に設けられ、抵抗検出電極３０からの信号を検出し、入力領域１１の縦横平面での抵抗値による電圧の変化を検出した場合、その検出信号を制御回路６０に出力するものである。
【００２１】
次に、制御回路６０について説明する。
制御回路６０は、図１に示すように、タッチパネル１０の容量検出回路１２、抵抗検出回路１３および不図示の表示装置に接続され、各部の動作を制御するものである。この制御回路６０は、容量検出回路１２または抵抗検出回路１３によって検出された検出信号を用いて、すなわち容量検出電極２０または抵抗検出電極３０によって検出された検出信号を用いて入力面１１ａでの一以上の接触位置を算出し、算出された接触位置の情報を不図示の表示装置に出力するものである。
【００２２】
ここで、図３を用いてタッチパネル１０の断面構成について説明する。なお、便宜上、図中矢印方向を上下方向とする。
タッチパネル１０は、図３に示すように、上側基板４０と下側基板５０とが図示しないスペーサによって所定の間隔を設けて貼り合わされている。
上側基板４０は、例えばポリエチレンテレフタレートのフィルムからなる第一の基板４１の下面に横方向容量検出電極２１が形成されている。この横方向容量検出電極２１が形成された第一の基板４１の下面には第一の絶縁膜４２が形成され、第一の絶縁膜４２の下面に縦方向容量検出電極２２が形成されている。
また、縦方向容量検出電極２２が形成された第一の絶縁膜４２の下面には第二の絶縁膜４３が形成され、この第二の絶縁膜４３の下面に抵抗検出線状電極３１が形成されている。
【００２３】
一方、下側基板５０は、ガラス等の光透過性の絶縁基板からなる第二の基板５１上面に抵抗検出面状電極３２が形成されている。
【００２４】
次に、図４を用いてタッチパネル装置１の全体構造について詳細に説明する。
タッチパネル１０は、横方向容量検出電極２１と縦方向容量検出電極２２とで容量Ｃが形成されるようになっている。ここで、使用者による入力操作によって指などの導体が入力面１１ａに接触されると、接触位置付近では、元々の電極間容量に対して並列に、横方向容量検出電極２１と縦方向容量検出電極２２が指表面を介して結合するような静電容量が形成されることによって静電容量が増加する。この容量の変化を容量検出回路１２が検出し、この検出された検出信号に基づいて制御回路６０が接触位置を算出するようになっている。なお、入力面１１ａに複数箇所同時に接触された場合、制御回路６０が容量検出回路１２によって検出された検出信号（以下、容量検出信号という。）を用いて複数の接触位置を算出するようになっている。
【００２５】
また、タッチパネル１０は、抵抗検出線状電極３１に接続される第一電極３１ａと、この第一電極３１ａと直交する方向で配置され抵抗検出面状電極３２に接続される第二電極３２ａと有してなる。これら、第一電極３１ａおよび第二電極３２ａには交互に電圧が印加されるようになっている。
ここで、使用者による入力操作によって指などが入力面１１ａに接触されて接触位置で上側基板４０が下方に撓むと、抵抗検出線状電極３１と抵抗検出面状電極３２とが接触する。この際、第一電極３１ａに電圧が印加されていると、電圧が接触位置で分圧され、抵抗検出回路１３が縦座標での抵抗値による電圧の変化を検出する。一方、第二電極３２ａに電圧が印加されていると、電圧が接触位置で分圧され抵抗検出回路１３が横座標での抵抗値による電圧の変化を検出する。この検出された信号に基づいて制御回路６０が接触位置を算出するようになっている。
なお、抵抗検出回路１３によって検出された検出信号（以下、抵抗検出信号という。）を用いて算出される接触位置は１箇所である。このため、入力面１１ａに複数箇所同時に抵抗検出線状電極３１と抵抗検出面状電極３２とが接触された場合においても、抵抗検出信号を用いて算出される接触位置は１箇所となる。
【００２６】
このようなタッチパネル装置１は、使用者の指Ｆによる入力操作の際、接触位置での押圧が小さいと、図５に示すように、抵抗検出線状電極３１と抵抗検出面状電極３２とが接触されない。この場合、容量検出回路１２によって信号が検出されるものの、抵抗検出回路１３では信号が検出されない。このため、接触位置での押圧が小さいと、制御回路６０は、容量検出信号のみ用いて接触位置を算出する。
一方、接触位置での押圧が大きいと、すなわち抵抗検出線状電極３１と抵抗検出面状電極３２とが接触されるほどの押圧が入力面１１ａに負荷されると、図６に示すように、容量検出回路１２および抵抗検出回路１３によって信号が検出される。このため、接触位置での押圧が大きいと、制御回路６０は、容量検出回路１２による検出信号、あるいは抵抗検出回路１３による検出信号を用いて接触位置を算出する。
【００２７】
すなわち、制御回路６０は、接触位置での押圧が小さい場合、容量検出回路１２のみに検出された検出信号を用いて接触位置を算出する。一方、接触位置での押圧が大きい場合、容量検出回路１２および抵抗検出回路１３によって検出された各検出信号を用いて接触位置を算出する。この場合、制御回路６０によって二つの接触位置が算出され、算出された二つの接触位置はほぼ等しくなるため、例えば、容量検出信号によって算出された接触位置の値を用いるようにする。なお、この場合、抵抗検出信号によって算出された接触位置の値を用いるようにしてもよいし、抵抗検出信号および容量検出信号によって算出された接触位置を平均化したもの用いてもよい。
【００２８】
ここで、制御回路６０についてさらに詳細に説明する。
制御回路６０は、接触位置情報生成部６１および記憶部６２を有してなる。
接触位置情報生成部６１は、容量検出電極２０および抵抗検出電極３０によって検出された検出信号を用いて一以上の接触位置を算出し、かつ算出された接触位置での押圧の大小情報を生成するものである。
また、この実施の形態では、制御回路６０は、抵抗検出信号を用いて算出された接触位置のうち、容量検出信号を用いて算出された接触位置と異なるものは用いないようにする処理を行う。すなわち、制御回路６０は、容量検出信号によって算出された接触位置を不図示の表示装置へ出力する接触位置情報とする処理を行う。
【００２９】
記憶部６２は、情報を電気的に記憶するメモリ等によって実現され、制御回路６０の処理に関わる情報を記憶するものである。
このような制御回路６０は、算出した一以上の接触位置情報のそれぞれに押圧の大小情報を付加させた情報を不図示の表示装置に出力する。
【００３０】
次に、図７および図８を用いて、制御回路６０が接触位置情報に押圧大小情報を付加させる処理の流れについて説明する。
図７は、制御回路６０が接触位置情報に押圧大小情報を付加させる処理の流れを示したメインフローチャート図である。図８は、図７に示した押圧大小情報生成処理の流れを示したフローチャート図である。
まず、制御回路６０は、図７に示すように、容量検出回路２０または抵抗検出回路１３から検出信号が出力されたか否かを判断する（ステップＳ１）。制御回路６０は、容量検出回路１２または抵抗検出回路１３から検出信号が出力されたと判断した場合（ステップＳ１，Ｙｅｓ）、出力された検出信号を取得する（ステップＳ２）。
その後、制御回路６０は、取得した検出信号に基づいて接触位置の算出を行う（ステップＳ３）。
その後、制御回路６０は、検出信号をグループ化したグループ情報を生成する（ステップＳ４）。より具体的には、同一の接触位置を算出された検出信号群を一つのグループとして、ステップＳ２で取得された検出信号をグループに分けたグループ情報を生成する。このグループ情報の生成処理では、抵抗検出信号を用いて算出された接触位置のうち、容量検出信号を用いて算出された接触位置と異なるものは用いないようにする処理を行う。
その後、制御回路６０は、ステップＳ４で生成されたグループ情報を記憶部６２に記憶し（ステップＳ５）、押圧大小情報生成処理（ステップＳ１００）に移行する（図８参照）。
【００３１】
押圧大小情報生成処理（ステップＳ１００）では、まず、制御回路６０は、記憶部６２に記憶されたグループ情報を参照する（ステップＳ１０１）。その後、グループ毎に抵抗検出信号があるか否かを判断する（ステップＳ１０２）。この判断処理は、算出された接触位置毎に抵抗検出信号を用いて算出された接触位置であるか否か、すなわち接触位置での押圧が大きいか否かを判断する処理である。
判断対象のグループに抵抗検出信号がある場合（ステップＳ１０２，Ｙｅｓ）、制御回路６０は、そのグループに対応する接触位置での押圧が大きい旨を示す押圧大情報を生成し（ステップＳ１０３）、押圧大小情報生成処理をリターンさせる。
一方、判断対象のグループに抵抗検出信号がない場合（ステップＳ１０２，Ｎｏ）、制御回路６０は、押圧が小さい旨を示す押圧小情報を生成し（ステップＳ１０４）、押圧大小情報生成処理をリターンさせる。
【００３２】
その後、図７に示すように、ステップＳ６において、制御回路６０は、算出された各接触位置情報に押圧大小情報を付加した押圧大小情報付きの接触位置情報を不図示の表示装置に出力する（ステップＳ６）。その後、制御回路６０は、処理をステップＳ１に戻し、以降、上述した処理を繰り返す。
なお、ステップＳ１で、容量検出回路１２または抵抗検出回路１３から検出信号が出力されないと判断した場合（ステップＳ１，Ｎｏ）、この判断処理を繰り返す。
【００３３】
本発明の実施の形態にかかるタッチパネル装置１は、容量検出電極２０が、入力領域１１の横方向で並んで配置される複数の第一面状部２１ａと、第一面状部２１ａを繋ぐ第一連結部２１ｂとを有し、かつ縦方向に並んで配置される横方向容量検出電極２１と、第一面状部２１ａと重ならない位置に縦方向で並んで配置される複数の第二面状部２２ａと、第二面状部２２ａを繋ぐ第二連結部２２ｂとを有し、かつ横方向に並んで配置される縦方向容量検出電極２２と、を有してなり、抵抗検出電極２０が、第一面状部２１ａと第二面状部２２ａとの間を通る格子状の抵抗検出線状電極３１を有してなり、制御回路６０が、検出信号を用いて一以上の接触位置の位置を算出し、かつ算出された各接触位置での押圧の大小情報を生成する接触位置情報生成部６１を有してなるので、接触位置での押圧の大小情報を生成可能にするとともに、入力面１１ａに複数箇所同時に接触された場合においても、各接触位置を算出することができる。
【００３４】
また、本発明の実施の形態にかかるタッチパネル装置１は、制御回路６０が、容量検出信号を用いて算出した接触位置、および抵抗検出信号を用いて算出した接触位置のうち、容量検出信号によって算出された接触位置を出力先への接触位置情報とするので、すなわち、押圧が大きい接触箇所が複数ある場合、抵抗検出信号によって算出された接触位置を出力先への接触位置情報としないので、入力面１１ａに複数箇所同時に接触された場合においても、接触位置を正確に算出することができる。
【００３５】
また、本発明の実施の形態にかかるタッチパネル装置１は、第一面状部２１ａおよび第二面状部２２ａがひし形形状をなし、横方向容量検出電極２１および縦方向容量検出電極２２が入力面１１ａ視で、第一面状部２１ａおよび第二面状部２２ａの互いの辺が対向するようにして配置され、抵抗検出線状電極３１が入力面１１ａ視で、隣り合う第一面状部２１ａおよび第二面状部２２ａの対向する辺の間を通って配置されるので、横方向容量検出電極２１、縦方向容量検出電極２２および抵抗検出線状電極３１を入力領域１１の縦横平面内に隙間なく効率的に配置することができ、結果的に接触位置を精度よく算出することができる。
【００３６】
また、本発明の実施の形態にかかるタッチパネル装置１は、抵抗検出線状電極３１が
金属材料からなるので、ＩＴＯ等の光透過性導電材料に比して強度が高い。
【００３７】
（変形例）
ここで、図９を用いて本発明の実施の形態にかかるタッチパネル装置１の変形例について説明する。図９は、本発明の実施の形態のタッチパネル装置１の変形例を示した図である。なお、実施の形態と同一構成部分には同一符号を付している。
この変形例のタッチパネル装置では、図９に示すように、タッチパネル１０に代わってタッチパネル７０を有してなる。タッチパネル７０は、表示面側に面状の光透過性の透明導電膜ＯＣを備える液晶表示装置ＬＣＤに組み付けられる。
この場合、タッチパネル７０は、液晶表示装置ＬＣＤのガラス基板ＳＵＳと、偏光板ＰＯＬとの間に形成された透明導電膜ＯＣを抵抗検出面状電極３２の代わりに利用することができる。
より具体的には、実施の形態のタッチパネル１０の第二の基板５１の代わりにガラス基板ＳＵＳを利用し、抵抗検出面状電極３２の代わりに透明導電膜ＯＣを利用する構成になっている。
このため、この変形例のタッチパネル７０を有してなるタッチパネル装置は、実施の形態のタッチパネル装置１と同様の効果を奏するとともに、装置構成を簡略化することができる。
【００３８】
なお、本発明の実施の形態にかかるタッチパネル装置１は、第一面状部２１ａおよび第二面状部２２ａがひし形形状であるものを例示したが、これに限らない。例えば、第一面状部２１ａおよび第二面状部２２ａが円形状であるものを用いてもよい。
【００３９】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４０】
１      タッチパネル装置
１０、７０  タッチパネル
１１    入力領域
１１ａ  入力面
１２    容量検出回路
１３    抵抗検出回路
２０    容量検出電極
２１    横方向容量検出電極
２１ａ  第一面状部
２１ｂ  第一連結部
２２    縦方向容量検出電極
２２ａ  第二面状部
２２ｂ  第二連結部
３０    抵抗検出電極
３１    抵抗検出線状電極
３１ａ  第一電極
３２    抵抗検出面状電極
３２ａ  第二電極
４０    上側基板
４１    第一の基板
４２    第一の絶縁膜
４３    第二の絶縁膜
５０    下側基板
５１    第二の基板
６０    制御回路
６１    接触位置情報生成部
６２    記憶部
【図１】
2012178093.tif 000003
【図２】
2012178093.tif 000004
【図３】
2012178093.tif 000005
【図４】
2012178093.tif 000006
【図５】
2012178093.tif 000007
【図６】
2012178093.tif 000008
【図７】
2012178093.tif 000009
【図８】
2012178093.tif 000010
【図９】
2012178093.tif 000011
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
容量検出電極と、該容量検出電極の下層に形成される抵抗検出電極とを入力領域に有してなるタッチパネルと、前記容量検出電極または前記抵抗検出電極によって検出された検出信号を用いて前記入力領域の入力面での接触位置を算出する制御回路とを有してなるタッチパネル装置において、
前記容量検出電極は、
前記入力領域の横方向で並んで配置される複数の第一面状部と、該第一面状部を繋ぐ直線状の第一連結部とを有し、かつ縦方向に並んで配置される横方向容量検出電極と、
前記横方向容量検出電極とは別層に設けられ、前記入力面視で、前記第一面状部と重ならない位置に縦方向で並んで配置される複数の第二面状部と、該第二面状部を繋ぐ直線状の第二連結部とを有し、かつ横方向に並んで配置される縦方向容量検出電極と、
を有してなり、
前記抵抗検出電極は、
前記入力面視で、前記入力領域で前記第一面状部と前記第二面状部との間を通る格子状の抵抗検出線状電極を有してなり、
前記制御回路は、
前記検出信号を用いて一以上の接触位置を算出し、かつ算出された接触位置での押圧の大小情報を生成する接触位置情報生成部
を有してなることを特徴とするタッチパネル装置。
【請求項２】
前記制御回路は、
前記容量検出電極によって検出された検出信号を用いて算出した接触位置、および前記抵抗検出電極によって検出された検出信号を用いて算出した接触位置のうち、前記容量検出電極によって検出された検出信号を用いて算出された接触位置を出力先への接触位置情報とすることを特徴とする請求項１に記載のタッチパネル装置。
【請求項３】
前記抵抗検出電極は、
前記抵抗検出線状電極の下方で該抵抗検出線状電極に対向して配置され、かつ平面状に形成された光透過性の抵抗検出面状電極を有してなることを特徴とする請求項１または２に記載のタッチパネル装置。
【請求項４】
前記第一面状部および前記第二面状部は、
ひし形形状をなし、
前記横方向容量検出電極および前記縦方向容量検出電極は、
前記入力面視で、前記第一面状部および前記第二面状部の互いの辺が対向するようにして配置されてなり、
前記抵抗検出線状電極は、
前記入力面視で、隣り合う前記第一面状部および前記第二面状部の対向する辺の間を通って配置されることを特徴とする請求項１、２、または３に記載のタッチパネル装置。
【請求項５】
前記抵抗検出線状電極は、
金属材料からなることを特徴とする請求項１、２、３、または４に記載のタッチパネル装置。
【請求項６】
前記押圧大小情報生成部は、
同一の接触位置が算出された前記検出信号を一つのグループとするグループ情報を生成し、該グループ情報を参照して、各グループ内に前記抵抗検出電極による検出信号があるか否を判断し、前記抵抗検出電極による検出信号がある場合、押圧が大きい旨を示す押圧大情報を生成し、前記抵抗検出電極による検出信号がない場合、押圧が小さい旨を示す押圧小情報を生成することを特徴とする請求項１、２、３、４または５に記載のタッチパネル装置。